(57)【要約】【課題】  瞬間式熱交換器を用いた衛生洗浄装置において、洗浄モード変更時などの加熱中洗浄水の想定以上の流量低下による異常高温水発生の可能性を最小限に抑えた衛生洗浄装置を提供する。【解決手段】  給水源から洗浄水を取り入れる給水手段と、給水手段によって取込まれた洗浄水を瞬間的に加熱する加熱手段と、該加熱手段によって加熱される洗浄水の流量を増減する流量調節手段と、洗浄水を人体に噴出する洗浄ノズルを備えた衛生洗浄装置において、流量調節手段は、出水穴を有する固定部に対して可動部が可動することで流量を調節してなると共に、洗浄ノズルへの給水の有無に関わらず前記可動部の可動範囲全域において通水状態を維持してなり、流量調節手段の可動範囲全域における最小流量に対して洗浄ノズルへの給水時における最小流量が略同一かそれ以上とする事により、洗浄水の異常高温水発生の可能性を最小限に抑えることを可能とした。【選択図】  図７
2006152734.tif 000002
【特許請求の範囲】
【請求項１】
給水源から洗浄水を取り入れる給水手段と、給水手段によって取込まれた洗浄水を瞬間的に加熱する加熱手段と、該加熱手段によって加熱される洗浄水の流量を増減する流量調節手段と、洗浄水を人体に噴出する洗浄ノズルを備えた衛生洗浄装置において、前記流量調節手段は、前記洗浄ノズルへの給水の有無に関わらず通水状態を維持してなり、前記流量調節手段の前記通水状態における最小流量に対して前記洗浄ノズルへの給水時における最小流量が略同一かそれ以上であることを特徴とした衛生洗浄装置。
【請求項２】
請求項１に記載の衛生洗浄装置において、前記流量調節手段は、入水口と複数の出水口を備え、一つ以上の通水部を備えた弁体により、洗浄水を前記複数の出水口の一つ、または複数に選択的に切替える流路切替手段を備えた流量調節兼流路切替手段であることを特徴とした衛生洗浄装置。
【請求項３】
請求項２に記載の衛生洗浄装置において、前記流量調節兼流路切替手段は、一つ以上の通水部を備えた可動部と、複数の通水部を備えた固定部とを備えたディスクバルブであることを特徴とした衛生洗浄装置。
【請求項４】
請求項２または３に記載の衛生洗浄装置において、人体に向けて洗浄水を吐出しない捨水流路を備え、前記複数の出水口の少なくとも一つは捨水流路に接続されていることを特徴とする衛生洗浄装置。
【請求項５】
請求項４に記載の衛生洗浄装置において、前記捨水流路と前記洗浄ノズルに接続する主流路とを切替える流路切替手段を配設し、前記流路切替手段から吐出される最小流量は前記流量調節手段の実使用範囲における最小流量以上としたことを特徴とする衛生洗浄装置。
【請求項６】
請求項５に記載の衛生洗浄装置において、前記流路切替手段の駆動源としてソレノイドを使用したことを特徴とする衛生洗浄装置。
【請求項７】
請求項４に記載の衛生洗浄装置において、前記捨水流路の終点にノズル洗浄手段を配設したことを特徴とする衛生洗浄装置。
【請求項８】
請求項１〜７のいずれか１項に記載の衛生洗浄装置において、前記洗浄水の流れに脈動を与える脈動発生装置を配設したことを特徴とする衛生洗浄装置。
【発明の詳細な説明】
【技術分野】
【０００１】
本発明は、瞬間的に加熱された洗浄水を人体に向け吐出する衛生洗浄装置に関する発明である。
【背景技術】
【０００２】
従来の瞬間的に加熱された洗浄水を人体に向け吐出する衛生洗浄装置としては水道本管から分岐された洗浄水を、本体に配設される水閉止弁を開閉する事により衛生洗浄装置内に引き込み、洗浄水加熱手段に備えられたヒータで瞬間的に加熱し、その加熱された洗浄水を通水を遮断する閉止区間を持たない流量調節兼流路切替バルブにより、複数備えられた洗浄流路に切替え、切替えた洗浄水の流量を増減し、洗浄ノズルより人体局部に向けて噴出させ、人体局部を洗浄するものがあった。ここで流量調節兼流路切替バルブは図１４に示すよう円筒状の内周面を有する外筒１４３に円筒状の外周面を有する内筒１４２が回転可能に挿入されている。洗浄水入口１４３ａより洗浄水が供給される。内筒１４２がモータ１４１の働きにより回転し、内筒１４２の周壁に設けられた孔部１４２ｅ〜１４２ｇのいずれかが外筒１４３に設けられた複数の洗浄水出口１４３ｂ〜１４３ｅのいずれかに対向する。内筒１４２に供給された洗浄水が、洗浄水出口１４３ｂ〜１４３ｅのいずれかから流出する。内筒１４２の孔部１４２ｅ〜１４２ｇが外筒１４３の複数の洗浄水出口１４３ｂ〜１４３ｅに対向しない場合でも、内筒１４２の孔部の周囲に設けられた凹部の少なくとも一部が外筒１４３の複数の洗浄水出口１４３ｂ〜１４３ｅのいずれかに対向することにより、閉止区間がなくなり、内圧の上昇による漏水が防止され、使用者が感電する事が防止される等の利点を持つ。（特許文献１参照）
【特許文献１】特開２００３−３１３９２４号公報
【発明の開示】
【発明が解決しようとする課題】
【０００３】
しかしながら、瞬間的に洗浄水を加熱する衛生洗浄装置内に内蔵された温水センサにて測定した値により制御器から温水ヒータに信号を与えても温水ヒータの熱容量により温水ヒータの制御に時間の遅れが存在するため、例えば洗浄モード変更時に洗浄水の極端な流量低下（図１５）が起こると洗浄水の過熱を起こし、異常高温水を発生させる要因となっていた。
このような洗浄水の過熱を抑える方法としては、ヒータの制御を流量変化に対応させるために洗浄モードの変更をゆっくりと行う方法がある。しかし、この方法によると洗浄モードの切替時間が遅くなり、使用者に不快感を与えることになる。また別の方法としては、流量が極端に低下する時間を極力短くし、ヒータが与える熱量に対する洗浄水量の変化を少なくするために、洗浄モードの切替を高速化する方法もある。しかし従来の流量調節兼流路切替バルブの場合、高速で洗浄モードを切替えようとすると、高速切替に充分対応するモータ出力が必要となり、装置が大型化してしまう。
【０００４】
本発明は、上記の課題を解決するもので、本発明の課題は流量調節手段の可動範囲全域における最小流量を実使用範囲の最小流量と略同一以上となるようにし、加熱中洗浄水の極端な流量低下を防止する事により洗浄水の異常高温水発生の可能性を最小限に抑えることである。
【課題を解決するための手段】
【０００５】
かかる課題を解決するために、第１の発明における衛生洗浄装置では、給水源から洗浄水を取り入れる給水手段と、給水手段によって取込まれた洗浄水を瞬間的に加熱する加熱手段と、該加熱手段によって加熱される洗浄水の流量を増減する流量調節手段と、洗浄水を人体に噴出する洗浄ノズルを備えた衛生洗浄装置において、前記流量調節手段は、前記洗浄ノズルへの給水の有無に関わらず通水状態を維持してなり、前記流量調節手段の前記通水状態における最小流量に対して前記洗浄ノズルへの給水時における最小流量が略同一かそれ以上であることを特徴とする。
流量調節手段の制御可能範囲における最小流量が洗浄ノズルへの給水時の流量範囲（実使用範囲）における最小流量よりも低い場合、何らかの理由によって流量調節手段が実使用範囲外の設定となった場合、極端な流量低下が起こり、異常高温水を発生させる可能性を持つ。
しかし、第１の発明における衛生洗浄装置によれば、流量調節手段の可動範囲全域における最小流量が洗浄ノズルへの給水時における最小流量と略同一以上としているため、流量調節手段がいかなる動作をした場合でも常に実使用範囲内の最小流量以上で洗浄水の流量を維持する事ができる。したがって洗浄水の極端な流量低下による異常高温水発生の可能性を最小限に抑えることが可能となる。
【０００６】
また第２の発明における衛生洗浄装置では、前記流量調節手段は、入水口と複数の出水口を備え、一つ以上の通水部を備えた弁体により、洗浄水を前記複数の出水口の一つ、または複数に選択的に切替える流路切替手段を備えた流量調節兼流路切替手段であることを特徴とする。
一つ以上の通水部を有した弁体が複数の出水口の一つ、または複数に選択的に切り替えることにより、洗浄水は複数の出水口のうちいずれかの出水口から吐水される。したがって複数の洗浄モードを持つことで使用者に多彩な洗浄感を提供する事ができつつ、各洗浄モードの切り替え過程など、いかなる場合においても実使用範囲における最小流量以上を確保する事ができるため、高温水発生の可能性を最小限に抑えることが可能となる。
【０００７】
第３の発明における衛生洗浄装置では、前記流量調節兼流路切替手段は、一つ以上の通水部を備えた可動部と、複数の通水部を備えた固定部とを備えたディスク式であることを特徴とする。
流量調節兼流路切替手段がディスク式であることにより可動部と固定部の平面どうしの接触により複数の流路間の水密性を保ったうえで、流量調節や流路切替を行うことが可能となる。したがって従来技術の流量調節兼流路切替バルブのようなドラム式よりもシール構成が取りやすく、他流路への漏れが容易に防止できるので、流量調節精度が高められつつも実使用範囲における最小流量以上を確保しつつ、高温水発生の可能性を最小限に抑えることが可能となる。
【０００８】
第４の発明における衛生洗浄装置では、人体に向けて洗浄水を吐出しない捨水流路を備え、前記複数の出水口の少なくとも一つは捨水流路に接続されていることを特徴とする。
出水口の少なくとも一つが捨水流路と接続されることにより、洗浄ノズル伸出・収納時は捨水流路から洗浄水を吐出し、ノズルが洗浄位置にあるときにのみ洗浄ノズルから洗浄水を吐出することで、洗浄したい箇所以外を濡らして使用者に不快感を与えることがなく、高温水の発生を抑え安定した温度の洗浄水を提供することができる。
【０００９】
第５の発明における衛生洗浄装置では、前記捨水流路と前記洗浄ノズルに接続する主流路とを切替える流路切替手段を配設し、前記流路切替手段から吐出される最小流量は前記流量調節手段の実使用範囲における最小流量以上としたことを特徴とする。
捨水流路への流路切替手段のみ、流量調節兼流路切替手段から分離して配設することで、流量調節兼流路切替手段がいかなる状態（設定）であっても捨水流路への切替時間は常に一定となるため、流路切替時間のばらつきによる不快感を使用者に与えずに済む。また、洗浄ノズルと流量調節兼流路切替手段が一体化された場合、捨水流路への配管（例えば可撓性のあるチューブ等）が必要となる。その場合、洗浄ノズルが収納された時に流量調節兼流路切替手段と捨水流路とを接続する長さが必要であり、また洗浄ノズルが伸出した時には、配管が収納されるスペースが必要となる。さらに洗浄ノズルの伸出・収納に伴なう移動軌跡上に障害物がないことも必要となる。しかし、本発明によれば捨水流路への切替を行う流路切替弁を別体として構成し、捨水流路への配管は固定される。したがって洗浄ノズルの伸出・収納に伴なう配管のスペースが不要となるため、装置の小型化を図ることができる。また流路切替手段から吐出される洗浄水の流量を前記流量調節手段の実使用範囲における最小流量以上とすることで主流路と捨水流路の切替え中において洗浄水の極端な流量低下を防止することができる。したがって異常高温水発生の可能性を最小限に抑えることが可能となる。
【００１０】
第６の発明における衛生洗浄装置では、前記流路切替手段の駆動源としてソレノイドを使用した事を特徴とする。
流路切替手段の駆動源としてソレノイドを使用する事により、捨水流路と主流路の高速切替動作が可能となる。したがって洗浄モード切替時において瞬時に流路を捨水流路に切替えることができつつ、主流路と捨水流路切替中に流量低下することがない。そのため高温水発生の可能性を最小限に抑えることができる。
【００１１】
第７の発明における衛生洗浄装置では、捨水流路の終点にノズル洗浄手段を配設した事を特徴とする。
捨水流路の終点にノズル洗浄手段を設ける事により捨水流路に切替えられた洗浄水をノズル本体の洗浄に使用することができる。このため洗浄水を無駄に使用することなく衛生的な洗浄ノズルを提供できる。
【００１２】
第８の発明における衛生洗浄装置では、洗浄水の流れに脈動を与える脈動発生装置を配設したことを特徴とする。
脈動発生手段により洗浄水は強制的に圧力の変動が加えられ、吐水流路に給水される。圧力の変動が加えられた洗浄水が吐水流路に給水されると、洗浄水に速度差が生じ、その繰り返しによって洗浄水の噴流の疎密の繰り返しが強制的変動として現れる。したがって、少ない流量においても洗浄力とたっぷり感を確保した状態での洗浄が可能となる。さらに水勢変化は流量変化と脈動付加度合いの変化で行うため、流量変化だけで水勢感を変化させる場合よりも、水勢感変化に要する流量変化の度合いが少なくて済む。したがって実使用における流量変動幅をより小さくしたうえで極端な流量低下を抑えることが可能となるため、高温水発生が抑えられる。
【００１３】
なお、前記流量調節兼流路切替手段は前記洗浄ノズルと共に所定の軌跡を持って進退するようにするのが好ましい。従来の構成のように流量調節兼流路切替バルブが洗浄ノズルと別体にて構成されている場合は、流量調節兼流路切替手段と洗浄ノズルを接続するチューブ等の流路を複数本必要とし、ノズルを収納位置と使用位置の間で移動させる場合は、複数のチューブがノズルの移動に合わせて移動するためのスペースを確保しなければならず、また複数のチューブの屈曲力に抗してノズルを移動させなければならないため、出力を十分確保したノズル駆動手段が必要となる。これに対し、流量調節兼流路切替手段と洗浄ノズルを一体にて構成した場合は、ノズルの移動に合わせて移動するチューブは一本だけになるのでチューブの移動スペースやノズル駆動手段の出力を最小限に抑える事ができ、装置の小型化を図ることが可能となる。
【発明の効果】
【００１４】
以上のように、本発明によれば、流量調節手段の可動範囲全域における最小流量を、洗浄ノズルへの給水時の実使用範囲の最小流量と略同一もしくはそれ以上とすることにより加熱中洗浄水の極端な流量低下による異常高温水発生の可能性が最小限に抑えられる。また流量調節兼流路切替手段を使用することにより使用者に多彩な洗浄感を提供することが可能となる。さらに主流路と捨水流路の流路切替を独立して行う事で、洗浄モード変更時間が短縮される。
【発明を実施するための最良の形態】
【００１５】
以下、本発明を実施するための形態について図面に基づき説明する。
本発明における実施形態による衛生洗浄装置の水路図を図１に示す。ここで図１は、洗浄水の供給系を示す概略構成図である。
【００１６】
図１に示す衛生洗浄装置は給水配管５１から順に、電磁弁５２、圧力調整弁５３、冷水センサ５４、熱交換器５５、温水センサ５６、バキュームブレーカ５７、安全弁５８、流路切替弁５９、脈動発生装置６１および洗浄ノズル６３が接続されている。なおこの例では、流量調節兼流路切替弁６２は洗浄ノズル６３と一体的に構成されている。制御器６４は電磁弁５２、冷水センサ５４、熱交換器５５、温水センサ５６、流路切替弁５９、脈動発生装置６１、流量調節兼流路切替弁６２、洗浄ノズル６３および制御ボタン（図示せず）に接続されている。なお制御ボタンには強い刺激感のあるハードなおしり洗浄（以下おしり洗浄と呼ぶ）、ソフトなおしり洗浄（以下やわらか洗浄と呼ぶ）、ビデ洗浄の各洗浄モードを選択する洗浄ボタン、洗浄水の水勢を変化させるための水勢変更ボタン、洗浄水の温度を選択できる温度調節ボタン、洗浄を停止するための停止ボタンが含まれる。
【００１７】
電磁弁５２は、その開閉動作により衛生洗浄装置への洗浄水の供給と停止を行う。圧力調整弁５３は、供給された洗浄水を所定の圧力まで減圧し、洗浄水の供給圧力を一定に保つ機能を果たす。熱交換器５５は、供給された洗浄水を設定された温度まで加熱する。その際、熱交換器５５の上流に設けられた冷水センサ５４により検知された加熱前の洗浄水温と、熱交換器５５の下流に設けられた温水センサ５６により検知された加熱後の洗浄水温に基づき、制御器６４にて算出された加熱量が熱交換器５５に出力される。
【００１８】
バキュームブレーカ５７は洗浄ノズル６３からの洗浄水の逆流を防止する。安全弁５８は衛生洗浄装置内の水圧が所定値を越えると開弁し、捨水配管へ洗浄水を排出することにより、水圧異常時の機器の破損、ホースの外れ等の不具合が生じることを防止している。また流路切替弁５９の下流は二方に分岐しており、一方は捨水流路６８へ他方は脈動発生装置６１、流量調節兼流路切替弁６２を介して洗浄ノズル６３へと続く主流路６９に接続されている。捨水流路６８の先端にはノズル洗浄室（図示せず）が設けられており、洗浄ノズル６３の伸出・収納時にノズル胴体を洗浄するようになっている。
【００１９】
瞬間加熱式の衛生洗浄装置は、貯湯式と異なり、充分温かい温度まで加熱できる洗浄水の流量が制限されているが、熱交換器５５により加熱された洗浄水は脈動発生装置６１によって脈動を与えられた状態で吐出されるため、少ない流量でも洗浄力とたっぷり感を確保した状態での洗浄が可能となる。また流路切替弁５９と脈動発生装置６１の間にはアキュームレータ６０を配設し、脈動発生装置６１で発生した圧力の脈動が上流へ伝播するのを防ぎ、熱交換器５５への影響を防止している。
【００２０】
流量調節兼流路切替弁６２は制御器６４によって与えられる制御信号に基づき、洗浄ノズル６３内にある各洗浄流路（６５，６６，６７）のいずれか一つまたは複数に洗浄水を供給する。以上により、洗浄ノズル６３に配設された複数の吐水穴のいずれかより洗浄水が吐水される。
【００２１】
また、流量調節兼流路切替弁６２は制御器６４により与えられる制御信号に基づき、洗浄ノズル６３から吐水される洗浄水の水量を調節する。以上によって洗浄ノズル６３から吐水される洗浄水の水量が変化する。
【００２２】
また、本実施例における衛生洗浄装置では、洗浄ノズル６３を伸出・収納するための駆動手段（図示せず）を備えており、制御器６４によって与えられる制御信号に基づいて洗浄ノズル６３の伸出・収納を行う。
【００２３】
制御器６４は衛生洗浄装置に備えられた制御ボタンもしくはリモコンスイッチより送信される信号、冷水センサ５４、温水センサ５６から与えられる温度測定値に基づき電磁弁５２、熱交換器５５、流路切替弁５９、脈動発生装置６１、流量調節兼流路切替弁６２、洗浄ノズル６３に対して制御信号を与える。
【００２４】
次に洗浄ノズル６３について説明する。図２（ａ），（ｂ）に洗浄ノズルの構造図を示す。洗浄ノズル６３内にある複数の洗浄流路６５及び６６，６７はそれぞれ洗浄ノズル先端近傍にあるおしりに向かって洗浄水を吐出するビデ洗浄用吐水穴４０２とおしり洗浄用吐水穴４０１に連通する。吐水穴４０１，４０２の上流には洗浄流路６５及び６６，６７を通水する洗浄水を旋回させながら旋回流として吐水穴から吐水させるための洗浄水渦室３０１，３０２を設けてある。なお洗浄流路６７は洗浄渦室３０１の下方に連通し、吐水穴４０１と連通している。
【００２５】
ここで、おしり、やわらか洗浄用のノズル構造を例にとり洗浄ノズル６３内の洗浄水の動きを説明する。
おしり洗浄時においては図３に示すように、一つの吐水穴４０１より旋回洗浄水ＲＷ、直進洗浄水ＵＷという複数の種類の洗浄水を吐水する。ここで、旋回洗浄水ＲＷとは吐水穴４０１の軸心を中心として螺旋状に旋回された状態で吐水穴４０１の向く方向に吐水される洗浄水をいう。直進洗浄水ＵＷとは吐水穴４０１の向く方向にほぼ真っ直ぐに吐水される洗浄水をいう。図３に示すように旋回洗浄水ＲＷは旋回中心付近が中空で、吐水穴４０１から離れるにしたがって徐々に広がった螺旋形状を有する。このような旋回洗浄水ＲＷは洗浄流路６６から洗浄水渦室３０１に供給された洗浄水が洗浄水渦室３０１の内周壁に沿って流れる事により実現される。すなわち洗浄流路６６からの洗浄水が略円柱形状を有する洗浄水渦室３０１の内周壁に沿って供給される事により、図３に示す矢印ＳＹに示すように洗浄水は洗浄水渦室３０１内で旋回し、これにより洗浄水に旋回成分が付与され、吐水穴４０１に向かうのである。このように洗浄流路６６を通過する洗浄水が洗浄水渦室３０１の内周壁に沿って流入する事により旋回状態とされた洗浄水の流れを旋回流と呼び、洗浄流路６６を旋回流路と呼ぶ。こうした螺旋形状の旋回洗浄水ＲＷによれば局部の広い範囲（図３に示す洗浄面積ＳＭｃ）をソフトに洗浄することができる。また旋回により洗浄水が適当に細分化され、十分なやわらか感をもった吐水をする事ができる。一方直進洗浄水ＵＷは旋回洗浄水のような中空部分や広がりのない略円柱形状を有する。このような直進洗浄水ＵＷは洗浄流路６７からの洗浄水が洗浄水渦室３０１の軸心に向かって流れ込み、旋回されることなく、図３ＳＳに示すように略鉛直上方に進行する事により実現される。このように洗浄流路６７を通過する洗浄水が略鉛直上方に進行する洗浄水の流れを直進流と呼び、洗浄流路６７を直進流路と呼ぶ。こうした略円柱形状の直進洗浄水ＵＷによれば、局部の狭い範囲（図３に示す洗浄面積ＳＭａ）を強く洗浄することができる。このようにおしり洗浄は、旋回流と直進流の洗浄水の組合せによって実現している。また、図示していないビデ洗浄の流路構成は旋回流のみを備えたものであり、洗浄流路６５をビデ流路と呼ぶ。
【００２６】
続いて流量調節兼流路切替弁６２について説明する。図４は、流量調節兼流路切替弁６２を構成する部品の分解図であり、これらの部品は洗浄ノズル本体７０の基端部に組み込まれ、一体に構成されている。この流量調整兼流路切替弁６２は、駆動軸１７１を有する駆動モータ１７０と、十字穴付のナベタッピンネジ１６０と、押板１８０と、Ｏリング１９０と、収納ボディ２００と、Ｙパッキン２１０と、一端を駆動軸１７１に、他端を固定部２６０に結合される支持部２２０と、シールフランジ２３０と、スプリング２４０と、可動部２５０と、固定部２６０と、固定部シール２７０から構成されている。
【００２７】
これら流量調節兼流路切替弁構成部品のうち、互いに密接した状態におかれる可動部２５０と固定部２６０が、流量調節と流路切替を司る弁機能を果たす。可動部２５０及び固定部２６０の上面図を図５（ａ），（ｂ）に示す。図５（ａ）に示すように、可動部２５０は、中心に回転軸を備えた薄型円板状のディスクに中心からの距離が異なる大穴２５１及び小穴２５２が貫通するように形成されている。
【００２８】
また、図５（ｂ）に示すように、固定部２６０は、中心に回転軸を備えた薄型円板状のディスクに、出水穴としてビデ流路６５に通じるビデ穴２６１、旋回流路６６に通じる旋回穴２６２、直進流路６７に通じる直進穴２６３が、ディスクを貫通するように構成されている。また各穴に連通するように凹部２６１ａ，２６１ｂ，２６２ａ，２６２ｂ，２６２ｃ，２６３ａ，２６３ｂが所定の幅をもって固定部２６０の円周方向に形成されている。凹部２６３ｂ，２６１ｂ，２６２ａは、可動部２５０のすべての穴と固定部２６０のすべての穴が連通する全開状態に使用される。すなわち、大穴２５１が凹部２６１ａ，２６２ｂに、小穴２５２が凹部２６３ｂに、同時に連通することで、可動部２５０と固定部２６０の全ての流路が通水状態になる。また、凹部２６３ａはおしり洗浄時に直進流を、凹部２６２ｃは旋回流を形成し、それぞれ流量調節するために使用される。更に、凹部２６２ｂはやわらか洗浄時、凹部２６１ａはビデ洗浄時にそれぞれ流量調節するために使用される。各洗浄流路への洗浄水の切替は可動部２６０の各穴部のいずれかが、固定部２５０の各穴部とそれに連通する凹部のいずれか一つまたは複数に連通する事によって行われる。固定部２６０に備えられた凹部の深さは連通する貫通穴に向かって増加しているため、可動部２５０を回転移動させて、可動部２５０と固定部２６０の凹部もしくは穴部によって形成される最小流路断面積を増加もしくは減少させることで、選択された洗浄流路への洗浄水流量が変化する。なお図５（ａ），（ｂ）に示すように可動部２５０と固定部２６０の中心には回転軸があり、この回転軸を中心に可動部は固定部上を回転するのである。また可動部２５０の回転方向は駆動モータ１８０により時計回り、半時計回りいずれの回転も可能である。
【００２９】
図６（ａ）〜（ｄ）は、固定部２５０と可動部２６０の相対位置関係を変化させたときの、固定部２５０の穴部と可動部２６０の穴部および凹部の連通状態を表したものである。詳細には駆動軸１７１、支持部２２０を介して駆動モータ１７０の駆動トルクが伝達され回転する可動部２５０が、各洗浄流路へそれぞれ連通する穴部と凹部が形成された固定部２６０上を回転する様子を示したものであり、具体的には、（ａ）は原点状態兼ビデ洗浄モード状態（最小流量設定時）、（ｂ）は全開状態、（ｃ）はやわらか洗浄モード状態（最大流量設定時）、（ｄ）はおしり洗浄モード状態（最小流量設定時）を示している。なお本図では可動部の各穴部と固定部の穴部もしくは凹部に連通している箇所を黒塗りで示している。
【００３０】
図６（ａ）は、モータの回転角度が０°の状態であり、本状態が原点状態である。本状態は可動部２５０の大穴２５１の一部が固定部２６０のビデ穴２６１と連通する凹部２６１ａと連通され、原点状態であると同時にビデ洗浄モードにおける最小流量設定状態を達成している。本状態がビデ洗浄における最小吐水流量となり、回転方向Ｌに沿ってモータの回転角度が増加するにつれて、ビデ穴２６１と連通する凹部２６１ａの深さも増加するため、凹部２６１ａに構成される最小流路断面積が増加して、ビデ流路６５に流出する洗浄水の流量は増加する。
【００３１】
図６（ａ）の状態から可動部２５０を回転方向Ｌに沿って半時計回りに約１０５°回転させると図６（ｂ）の状態になる。図６（ｂ）は可動部２５０の大穴２５１が固定部２６０のビデ穴２６１に連通する凹部２６１ｂと旋回穴２６２と連通する凹部２６２ａと連通し、且つ可動部２５０の小穴２５２が固定部２６０の直進穴２６３に連通する凹部２６３ｂと連通することによって、洗浄ノズル本体内の全流路へと通水される全開状態を達成している。
【００３２】
図６（ａ）の状態から可動部２５０を回転方向Ｌに沿って半時計回りに約１５５°回転させると図６（ｃ）の状態になる。図６（ｃ）では、可動部２５０の大穴２５１が固定部２６０の旋回穴２６２と連通することによって、やわらか洗浄モードにおける最大流量設定状態を達成している。本状態がやわらか洗浄における最大吐水流量となり、モータの回転角度を増加させると可動部２５０の大穴が回転方向Ｌに向かって凹部深さが減少する凹部２６２ｂと連通するため、モータの回転角度を増やすことにより旋回流路６６へ流出される洗浄水の流量は減少する。
【００３３】
図６（ａ）から可動部を回転方向Ｌに沿って半時計回りに約２３５°回転させると、図６（ｄ）の状態になる。図６（ｄ）では、可動部２５０の大穴２５１が固定部２６０の直進穴２６３に連通する凹部２６３ａと連通し、また可動部２５０の小穴２５２が固定部２６０の旋回穴２６２に連通する凹部２６２ｃと連通する事により、おしり洗浄モードにおける最小流量設定を達成している。すなわちおしり洗浄モードにおいては２流路を同時に流量調節することで、ノズルから吐出される流量と、直進流、旋回流の比率を変化させ、各水勢毎に最適な流量と吐水状態（洗浄面積や洗浄感）を実現している。また、おしり穴２６３と連通する凹部２６３ａの凹部深さは回転方向Ｌに沿って増加し、やわらか穴２６２と連通する凹部２６２ｃの凹部深さも同様に回転方向Ｌに沿って増加する。よって本状態がおしり洗浄モードにおける最小吐水流量となりモータの回転角度を増やす事によりおしり洗浄時の洗浄水の流量は増加する。
【００３４】
このように、この流量調節兼流路切替弁６２は、可動部２５０の大穴２５１，小穴２５２と、固定部２６０のビデ穴２６１，旋回穴２６２，直進穴２６３のいずれかに連通して通水部を形成している。また、流量調節兼流路切替弁６２へと供給された洗浄水はビデ穴２６１，旋回穴２６２，直進穴２６３のいずれか、もしくは複数、もしくは全ての穴に導かれ水路を決定し、流量調節を行っているのである。
【００３５】
次に、本実施例に使用している流量調節兼流路切替弁６２の流量調節、流路切替特性について説明する。図７（ａ）は、流量調節兼流路切替弁６２に備えられた固定部２６０と可動部２５０の相対回転角度に対するビデ穴２６１からビデ流路６５に流出する洗浄水、旋回穴２６２から旋回流路６６に流出する洗浄水、直進穴２６３から直進流路６７に流出する洗浄水の流量特性を示す図である。図７の横軸は可動部２５０の原点位置からの回転角度を示し、縦軸は固定部の各穴から洗浄ノズル本体７０内の各流路へと流出する洗浄水の流量を示す。ここで示す回転角度は、図７（ａ）に示す可動部の回転方向Ｌを正方向としている。
また実線Ｑ１がビデ流路６５を流れる洗浄水の流量変化を、点線Ｑ２が旋回流路６６を流れる洗浄水の流量変化を、一点鎖線Ｑ３が直進流路６７を流れる洗浄水の流量変化をそれぞれ示している。
【００３６】
図７（ａ）に示すように、Ｑ１の変化はモータの回転角度０°においてすでに洗浄水がビデ流路６５を流れており、回転角度が増すにつれて、ビデ流路６５を流れる洗浄水の流量は増加し約６０〜８０°の領域で最大となる。さらに回転角度が大きくなるにつれて、ビデ流路６５を流れる洗浄水の流量は減少し、モータの回転角度が約１２０°でビデ流路を流れる洗浄水の流量はゼロになる。
【００３７】
次にＱ２の変化について説明する。モータの回転角度が約９５°において旋回流路６６に洗浄水が流れ始め、モータの回転角度が増加するにつれて洗浄水の流量は増加し、モータの回転角度が約１３０〜１５５°の領域で洗浄水の流量は最大となる。さらに回転角度を増加させると洗浄水の流量は減少し始める。回転角度が２２０°付近で、大穴２５１と凹部２６２ｂの連通がなくなる前に、小穴２５２が固定部２６０の旋回穴２６２に連通する凹部２６２ｃと連通し始めるが、後述するように直進流路６７と同時通水となるため、旋回流路６６に流れる洗浄水は２３５°付近まで減少していく。その後Ｑ２は、回転角度が約２５５°の位置にて流量は極大値を示したあと角度の増加に伴い流量は減少する。
【００３８】
続いてＱ３について説明する。回転角度が約９０°から可動部２５０の小穴２５２が固定部２６０の直進穴２６３に連通する凹部２６３ｂと連通し、直進流路６７に洗浄水が流れ始め、回転角度が約１０５°において極大値を示し、回転角度が約１２０°において流量はゼロになる。さらに回転角度を増加すると、回転角度が約２２０°にて可動部２５０の大穴２５１が固定部２６０の直進穴２６３に連通する凹部２６３ａと連通し、再度洗浄出口から洗浄水が流出され、回転角度を増加させるにつれて洗浄水の流量は増加し、約３００°にて最大値を示す。
【００３９】
おしり洗浄においては、上述した通り、旋回流と直進流の２つの異なる成分を持った洗浄水の組合せにより達成している。図７（ａ）のＱ２，Ｑ３に示すように、旋回流路６６と直進流路６７へ吐出される洗浄水の流量を各々制御する事で、即ち旋回流と直進流の流量比を制御する事で、水勢毎に最適な洗浄面積と洗浄感を実現している。
【００４０】
図７（ａ）に示すようにある流路からの洗浄水の流出が停止するまでに別の流路から洗浄水が流出し始め、いずれの回転角度においてもビデ流路６５，旋回流路６６，直進流路６７のいずれかの流路から洗浄水が流出しており、流量調節兼流路切替弁６２に止水区間を設けない構造としている。また流量調節兼流路切替弁６２は約３１０°においてストッパーを設けており、それ以上の角度設定はできないようになっている。すなわち、この流量調節兼流路切替弁６２は、洗浄ノズルへの給水の有無に関わらず可動部２５０の可動範囲全域において通水状態を維持する構成としている。
【００４１】
図７（ｂ）は流量調節兼流路切替弁６２から洗浄ノズル６３を介して吐出される洗浄水の流量の変化を示したものである。図７（ｂ）においても横軸は可動部２５０の原点位置からの回転角度を示し、縦軸は洗浄ノズル６３を介して吐出される洗浄水の流量を示す。即ち、この洗浄水の流量は図７（ａ）におけるＱ１，Ｑ２，Ｑ３の合計流量となる。回転角度が０°から６０°まではビデ洗浄モードにおける流量調節範囲、回転角度が１５５°から２１５°まではやわらか洗浄モードにおける流量調節範囲、回転角度が２３５°から２９５°まではおしり洗浄モードにおける流量調節範囲である。回転角度が１０５°付近において流量調節兼流路切替弁６２は全開状態となっており、ビデ流路６５，旋回流路６６，直進流路６７のすべての穴から洗浄水が流出している。
以上のようにして、各洗浄モードでの吐水による使用領域以外の領域においても流出される洗浄水は、流量調節兼流路切替弁６２が通常状態を維持する可動範囲における最小吐水流量に対して略同一もしくはそれ以上の流量になるようにしている。
【００４２】
続いて流路切替弁５９の構造について説明する。図８は、流路切替弁５９の概略構成断面図である。図８に示すように流路切替弁５９は入水口８０、第一出水口９０、第二出水口１００、磁性体を用いた弁体１１０、コイル１２０、バネ１３０が備えられている。弁体１１０には第一出水口９０、第二出水口１００をシールするための弁ゴム１４０が備えられている。入水口８０から取り入れられた洗浄水はコイル１２０への通電ｏｎもしくはｏｆｆによって第一出水口９０，第二出水口１００のいずれかより吐出されるようになっている。本実施例では第一出水口９０を主流路６９に、第二出水口１００を捨水流路６８に接続されるようにした。コイル１２０への通電がｏｆｆの場合、弁体１１０はバネ１３０の力により第一出水口９０側に位置し、第一出水口９０は閉塞している。したがって第二出水口１００は開放されている。そのため洗浄水は第二出水口１００より吐出される。コイル１２０への通電をｏｎするとコイル１２０が励磁され、弁体１１０には第一出水口９０を開放する方向の吸引力が働くようになる、そのため弁体１１０が第二出水口１００へ移動するため今度は第二出水口１００が閉塞され、第一出水口９０が開放される。以上により洗浄水は第一出水口９０より主流路側に洗浄水を吐出する。さらにコイル１２０への通電をｏｆｆとすると吸引力が失われ、バネ１３０により弁体１１０が第一出水口９０へ移動し、再び第一出水口９０を閉塞する。したがって第二出水口１００が開放され、洗浄水は第二出水口１００より吐出される。
【００４３】
コイルへの通電がｏｎ、ｏｆｆのどちらにおいても第一出水口９０、第二出水口１００のいずれかが開放されているため通水を遮断する閉塞区間が存在しない構造となっている。また本実施例のように流路切替弁の駆動手段としてソレノイドを使用することにより主流路６９と捨水流路６８の切り替えが瞬時に行われるようになる。
【００４４】
さらに主流路６９側を通常閉とした事で、コイルへの通電をｏｆｆとするだけで主流路６９の閉塞が可能となるため、何らかの異常により万が一異常高温水が発生した場合においてもコイルへの通電をｏｆｆとするだけで人体に高温吐水をさせない安全動作を確実に行う事ができる。
【００４５】
次に本実施例における衛生洗浄装置の一連の動作を説明する。使用者がおしり洗浄ボタン，やわらか洗浄ボタン，ビデ洗浄ボタンのいずれかのボタンを押す事により洗浄が開始され、停止ボタンを押す事により洗浄が終了する。ここでは使用者がおしり洗浄を選択した場合を例に挙げて説明する。
図９は使用者がおしり洗浄ボタンを押しておしり洗浄を開始し、洗浄を停止するために停止ボタンを押し洗浄が終了するまでの、電磁弁５２、熱交換器５５内の温水ヒータ、流路切替弁５９、脈動発生装置６１、流量調節兼流路切替弁６２および洗浄ノズル６３の一連の動作タイミングチャートを示している。使用者がおしり洗浄ボタンを押す事により電磁弁５２が開弁し、洗浄ノズル６３は装置内に収納された状態で流路への通水が開始される。通水を開始した洗浄水は、圧力調整弁５３によって熱交換器５５に供給される洗浄水の給水圧力が常に一定に保たれる。熱交換器５５に供給された洗浄水は、所定の温度まで瞬間的に加熱され、流量調節兼流路切替弁６２によって、最大吐水流量に調節されたうえで、洗浄ノズル６３の全ての洗浄流路（６５，６６，６７）から吐出され、流路内の予熱を行う。このときノズル洗浄室内で洗浄水が洗浄ノズル６３から吐出されるため、吐水口部の汚れを効果的に洗い落とす事ができる（前洗浄）。流路内の予熱が充分に行われたら、流路切替弁５９によって捨水流路６８側へ通水が切り替えられたうえで洗浄ノズル６３が所定の洗浄位置まで伸出する。このとき前述した通り、捨水流路６８はノズル装置内に設けられたノズル洗浄室に接続されているため、洗浄ノズル６３は、吐水穴４０１，４０２から洗浄水を吐出することなく、胴体を洗浄されながら伸出する。また、洗浄ノズル６３伸出中、流量調節兼流路切替弁６２によってノズル内の洗浄流路は旋回流路６６，直進流路６７が選択される。このときの可動部２５０の設定角度はおしり洗浄における最小水勢時の流量に相当する角度となっている（ノズル伸出）。
【００４６】
洗浄ノズル６３が所定の位置まで伸出を完了すると、流路切替弁５９によって、洗浄ノズル６３側へと通水が切り替えられ、洗浄水は吐水穴４０１より吐出し始め、かつ流量調節兼流路切替弁６２によって、流量は設定された水勢に相当する値に向かって徐々に増加し、設定流量まで達すると脈動発生装置６１は設定水勢に対応する値よりも低い値で出力を開始する。これは急に設定水勢に相当する流量および脈動付加状態の洗浄水を吐出するのではなく、設定水勢に相当する流量および脈動付加状態に向かって段階的に増加させる事により使用者を驚かせないようにするためである（ソフトスタート）。そして設定された水勢に相当する流量および脈動付加状態の洗浄水でおしり洗浄が行われる。このとき脈動発生装置６１の働きにより、洗浄水には設定水勢に応じた脈動が付与されているので、少量の水でも充分な洗浄力や洗浄感を実現することができ、快適に洗浄を行う事ができる（本洗浄）。
【００４７】
続いておしり洗浄中に洗浄を停止するための停止ボタンを押した場合について説明する。使用者が停止ボタンを押すと脈動発生装置６１は停止し、続いて流路切替弁５９によって捨水流路６８側に通水が切り替えられる。続いて洗浄ノズル６３はノズル胴体を洗浄されながら所定の位置に収納される（ノズル収納）。収納動作中、流量調節兼流路切替弁６２によって洗浄ノズル６３内の流路は全開状態となる。洗浄ノズル６３が所定の位置に収納された後、流路切替弁５９によって、洗浄ノズル６３側へ通水が切り替えられ、洗浄ノズル６３の全ての洗浄流路から洗浄水が吐出され、洗浄ノズル６３の吐水穴４０１、４０２周辺の洗浄を行う（後洗浄）。後洗浄が終了すると、流路切替弁５９によって洗浄水を捨水流路６８側へ切替えた後、電磁弁５２を閉止して止水し、熱交換器５５への通電も終了する。その後流量調節兼流路切替弁６２はビデ洗浄最小設定位置に移動しモータ角度の原点合わせを行う（原点合わせ）。
【００４８】
本動作中における流量特性については図９の最下段に示してある。電磁弁５２が開弁すると同時に洗浄水の流量は本装置の最大吐水流量に至る。その後ノズル伸出が完了するまで洗浄水の流量は本装置の最大吐水流量で維持される。ノズル伸出が終了し、洗浄流路が流路切替弁５９によって主流路側に切り替えられると洗浄水はおしり洗浄における最小水勢に相当する流量に至る。その後流量調節兼流路切替弁６２により徐々に流量は増加し、本洗浄にておしり洗浄における最大水勢に相当する流量に至る。停止ボタンが押された後、洗浄水の流量は本装置の最大吐水流量に至る。その後ノズル収納、後洗浄が完了するまで洗浄水の流量は本装置の最大吐水流量で維持される。ノズル収納、後洗浄が行われた後、電磁弁５２の閉動作により通水は停止する。以上のように電磁弁５２の開動作から閉動作までの間に洗浄水の通水は停止される事なく、かつ吐水流量はおしり洗浄における最小水勢に相当する吐水流量と略同一以上となっている。
【００４９】
次に洗浄動作中に別の洗浄モードを選択した場合の実施例について述べる。図１０は使用者がおしり洗浄中にやわらか洗浄を押し、やわらか洗浄に移るまでの電磁弁５２、熱交換器５５内の温水ヒータ、流路切替弁５９、脈動発生装置６１、流量調節兼流路切替弁６２および洗浄ノズル６３の一連の動作タイミングチャートを示している。
【００５０】
使用者がおしり洗浄中にやわらか洗浄ボタンを押すと、洗浄ノズル６３はおしり洗浄中の位置に伸出したまま、おしりへの吐出が維持され、脈動発生装置６１が停止する。洗浄ノズル６３内の洗浄流路が流量調節兼流路切替弁６２によりやわらか洗浄最小水勢位置に切り替えられる（流路切替）。そして流量調節兼流路切替弁６２によって、流量は設定された水勢に相当する値に向かって徐々に増加し、設定流量まで達すると脈動発生装置６１は設定水勢に対応する値よりも低い値で出力を開始する（ソフトスタート）。そして設定された水勢に相当する流量および脈動付加状態の洗浄水でやわらか洗浄が行われる。おしり洗浄からやわらか洗浄へ洗浄モードを変更する場合、洗浄水はノズル本体７０における、同じ吐水穴４０１から吐出されるため本実施例のように流量調節兼流路切替弁６２のみでの洗浄モードの変更が可能である。
【００５１】
また流量特性について説明する。流量特性については図１０の最下段に示している。おしり洗浄モードにおける本洗浄状態においてはおしり洗浄の最大水勢に相当する流量となっている。やわらか洗浄ボタンが押され、流量調節兼流路切替弁６２によってやわらか洗浄の最小水勢に相当する流量となる。その後、流量調節兼流路切替弁６２によりやわらか洗浄の最大水勢に相当する流量に至る。以上のように本装置から吐出される洗浄水はおしり洗浄モード、やわらか洗浄モードにおける最小水勢に相当する流量以上となっており、本実施例のように流量調節兼流路切替弁６２のみで洗浄モードの変更を実施しても、極端な流量低下が起こらず、異常高温水発生に対する安全性が確保されている。（以上、洗浄モード変更例１）
【００５２】
次に、洗浄モード切替における別の実施例について説明する。図１１は使用者がおしり洗浄中にビデ洗浄ボタンを押し、おしり洗浄モードからビデ洗浄モードに移るまでの電磁弁５２、熱交換器５５内の温水ヒータ、流路切替弁５９、脈動発生装置６１、流量調節兼流路切替弁６２および洗浄ノズル６３の一連の動作タイミングチャートを示している。
【００５３】
使用者がおしり洗浄中にビデ洗浄ボタンを押すと、脈動発生装置６１は停止し、続いて流路切替弁５９によって捨水流路６８側へ通水が切り替えられる。続いて洗浄ノズル６３はノズル胴体を洗浄されながら所定の位置に収納される（ノズル収納）。収納動作中、流量調節兼流路切替弁６２によって洗浄ノズル６３内の流路は全開状態となる。洗浄ノズル６３が所定の位置に収納された後、流路切替弁５９によって、洗浄ノズル６３側へ通水が切り替えられ、洗浄ノズル６３の全ての洗浄流路から洗浄水が吐出され、洗浄ノズル６３の吐水穴４０１、４０２周辺の洗浄を行う（後洗浄）。後洗浄実施後、流路切替弁５９によって捨水流路６８側へ通水が切り替えられ、洗浄ノズル６３は所定の位置にノズル胴体を洗浄されながら伸出する。洗浄ノズル６３伸出中、流量調節兼流路切替弁６２によってノズル内の洗浄流路はビデ流路６５へ切り替えられる。このときの可動部２５０の設定角度はビデ洗浄における最小水勢時の流量に相当する角度となっている（ノズル伸出）。洗浄ノズル６３が所定の位置まで伸出を完了すると、流路切替弁５９によって、洗浄ノズル６３側へと通水が切り替えられ、洗浄水は吐水穴４０２より吐水し始め、かつ流量調節兼流路切替弁６２によって、流量は設定された水勢に相当する値に向かって徐々に増加し、設定流量まで達すると脈動発生装置６１は設定水勢に対応する値よりも低い値で出力を開始する（ソフトスタート）。そして設定された水勢に相当する流量および脈動付加状態の洗浄水でビデ洗浄が行われる。おしり洗浄からビデ洗浄へ洗浄モードを変更する場合、人体に洗浄水を吐水する吐水穴は吐水穴４０１から吐水穴４０２へ変更される。このように異なる吐水穴から洗浄水を吐出する場合、上述したような洗浄モードを実施し、洗浄ノズルの洗浄を実施することは衛生上必要不可欠な方法である。
【００５４】
本実施例における洗浄モード変更中の流量特性については図１１の最下段に示している。おしり洗浄モードにおける本洗浄状態においてはおしり洗浄の最大水勢に相当する流量となっている。ビデ洗浄ボタンが押されると、流路切替弁５９によって捨水流路に切替えられ、本装置の最大吐水流量に至る。その後、ノズル収納、後洗浄、ノズル伸出が完了するまで洗浄水は本装置における最大吐水流量で維持される。ノズル伸出が完了すると洗浄水はビデ洗浄の最小水勢に相当する流量で吐出される。その後、流量調節兼流路切替弁６２によりビデ洗浄の最大水勢に相当する流量に至る。以上のように本装置から吐出される洗浄水はおしり洗浄モード、ビデ洗浄モードにおける最小水勢に相当する流量以上となっているため、極端な流量の低下による異常高温水の発生に対する安全性が確保されている。（以上、洗浄モード変更例２）
【００５５】
洗浄モード変更例２のように洗浄モード切替時において流路切替弁５９を使用することにより洗浄モード切替中、洗浄水は捨水流路６８へ切り替えられるため洗浄水が人体に吐水されることがない。したがって万が一、異常高温水が発生しても人体に高温水が吐水されないため高温吐水に対する安全性も確保されている。
【００５６】
続いて本発明における実施形態における衛生洗浄装置の別の例について図１２に示す。
図１２は洗浄水の供給系を示す概略構成図である。図１２に示す衛生洗浄装置は給水配管５１から順に、電磁弁５２、圧力調整弁５３、冷水センサ５４、熱交換器５５、温水センサ５６、バキュームブレーカ５７、安全弁５８、脈動発生装置６１、流量調節兼流路切替弁１２および洗浄ノズル１３が接続されている。制御器１４は電磁弁５２、冷水センサ５４、熱交換器５５、温水センサ５６、脈動発生装置６１、流量調節兼流路切替弁１２および制御ボタン（図示せず）に接続されている。なお制御ボタンにはおしり洗浄、やわらか洗浄、ビデ洗浄の各洗浄モードを選択する洗浄ボタン、洗浄水の水勢を変化させるための水勢変更ボタン、洗浄水の温度を選択できる温度調節ボタン、洗浄を停止するための停止ボタンが含まれる。
【００５７】
電磁弁５２が開弁する事によって、給水配管５１から給水された洗浄水は熱交換器５５によって所定の温度まで洗浄水を加熱する。加熱された洗浄水は脈動発生装置６１によって脈動を与えられる。脈動を与えられた洗浄水は流量調節兼流路切替弁１２、洗浄ノズル１３を介して人体に吐水される。
【００５８】
流量調節兼流路切替弁１２は制御器１４によって与えられる制御信号に基づき、ビデ流路１５，やわらか流路１６，おしり流路１７，捨水流路１８のいずれかもしくは複数に洗浄水を供給する。ビデ流路１５，やわらか流路１６，おしり流路１７のいずれかに洗浄水が供給されると洗浄水の水圧を受けて洗浄ノズル１３が伸出し、洗浄ノズル１３に配設された吐水穴から洗浄水が吐水される。また捨水流路１８の先端にはノズル洗浄室（図示せず）が設けられており、洗浄ノズル１３を洗浄することができるようになっている。
【００５９】
また流量調節兼流路切替弁１２は制御器１４により与えられる制御信号に基づき、洗浄ノズル１３から吐出される洗浄水の流量を調節する。以上により洗浄ノズル１３から吐出される洗浄水の水量が変化する。
【００６０】
図１２において洗浄ボタン（図示せず）が押されると、電磁弁５２が開弁し、流路への通水が開始される。通水を開始した洗浄水は、圧力調整弁５３によって所定の圧力まで減圧されるため、熱交換器５５に供給される洗浄水の給水圧力は常に一定に保たれる。熱交換器５５に供給された洗浄水は、使用者が設定した温度まで瞬間的に加熱される。加熱された洗浄水は流量調節兼流路切替弁１２によって捨水流路１８側に切替えられ、洗浄ノズル１３を洗浄する。続いて流量調節兼流路切替弁１２によって洗浄流路（ビデ流路１５，やわらか流路１６，おしり流路１７）のいずれかが選択されると洗浄流路を介して供給された洗浄水の圧力により洗浄ノズル１３は所定の位置まで伸出し、使用者が選択した水勢に相当する流量で洗浄水を吐出する。
【００６１】
図１２に示す衛生洗浄装置における流量調節兼流路切替弁１２は図１に示す衛生洗浄装置における流路切替弁５９と流量調節兼流路切替弁６２が一体に構成されている。具体的には、流量調節兼流路切替弁６２の固定部側のディスクに捨水流路１８に通水する捨水穴を開設することにより構成している。このように捨水流路１８への切替機能を流量調節兼流路切替弁１２に持たせる事により、部品点数が削減される事による低コスト化が実現できる。また本実施例においては直進流のみでおしり洗浄モードを実現している。そのためビデ流路１５，やわらか流路１６，おしり流路１７毎に、それぞれ独立した吐水穴を設けている。
【００６２】
図１３（ａ）は本実施例における流量調節兼流路切替弁１２の洗浄水出口からビデ流路１５，やわらか流路１６，おしり流路１７，および捨水流路１８へ流出する洗浄水の流量特性を示したものである。図１３の横軸は流量調節兼流路切替弁１２の駆動手段による回転角度を示し、縦軸は洗浄水出口から流出する洗浄水の流量を示している。また太実線Ｑ４はビデ流路１５へ流出される洗浄水の流量の変化を示し、点線Ｑ５はやわらか流路１６へ流出される洗浄水の流量の変化を示し、太点線Ｑ６はおしり流路へ流出する洗浄水の流量の変化を示し、実線Ｑ７は捨水流路１８へ流出する洗浄水の流量を示している。
【００６３】
図１３（ａ）に示すように、Ｑ４の変化はモータの回転角度０°においてすでに洗浄水がビデ流路１５を流れており、かつビデ流路１５を流れる洗浄水の流量は最大となっている。そして回転角度が増すにつれて洗浄水の流量は減少し、モータの回転角度が約９５°でビデ流路１５へ流出される洗浄水の流量はゼロとなる。
【００６４】
次にＱ５の変化について説明する。モータの回転角度が約１１５°においてやわらか流路１６に洗浄水が流れ始め、モータの回転角度が増加するにつれて洗浄水の流量は増加し、モータの回転角度が約１９５°で洗浄水の流量は最大となる。さらに回転角度を増加させると洗浄水の流量は減少し、回転角度が約２４０°でやわらか流路１６へ流出される洗浄水の流量はゼロになる。
【００６５】
続いてＱ６について説明する。回転角度が約２６０°においておしり流路１７に洗浄水が流れ始め、モータの回転角度が増加するにつれて洗浄水の流量は増加し、モータの回転角度が約３４０°にて洗浄水の流量は最大値を示す。
【００６６】
さらにＱ７について説明する。モータの回転角度が約８０°において捨水流路１８に洗浄水が流れ始め、モータの回転角度が増加するにつれて洗浄水の流量は増加し、モータの回転角度が約１０５°において洗浄水の流量は最大値を示す。さらに回転角度を増加させると洗浄水の流量は減少し、約１３０°にて捨水流路１８へ流出される洗浄水の流量はゼロになる。さらに回転角度を増加させると、モータの回転角度が約２２５°にて再び捨水流路１８へ洗浄水が流れ始める。そして回転角度が約２５０°において洗浄水の流量は再び最大値を示し、回転角度が約２７５°で捨水流路１８へ流出する洗浄水の流量は再びゼロになる。
【００６７】
図１３（ａ）に示すように本実施例における流路切替弁１２においても、ある流路からの洗浄水の流出が停止するまでに別の流路から洗浄水が流出し始め、いずれの回転角度においてもビデ流路１５，やわらか流路１６，おしり流路１７および捨水流路１８のいずれかの流路から洗浄水が流出しており、止水区間を設けない構造としている。また本実施例における流量調節兼流路切替弁１２は約３４５°においてストッパーを設けており、それ以上の角度設定はできないようになっている。
【００６８】
図１３（ｂ）は流量調節兼流路切替弁１２から洗浄ノズル１３もしくは捨水流路１７を介して吐出される洗浄水の流量特性を示したものである。図１３（ｂ）においても横軸は流量調節兼流路切替弁１２における駆動モータの回転角度を示し、縦軸は洗浄ノズル１３もしくは捨水流路１８を介して流出される洗浄水の流量を示す。即ち、この洗浄水の流量は図１３（ａ）におけるＱ４，Ｑ５，Ｑ７，Ｑ８の合計流量となる。回転角度が２０°から８０°まではビデ洗浄モードにおける流量調節範囲、回転角度が１３０°から１９０°まではやわらか洗浄モードにおける流量調節範囲、回転角度が２７５°から３３５°まではおしり洗浄モードにおける流量調節範囲である。回転角度が９５°から１１５°までおよび回転角度が２４０°から２６０°までは捨水流路１８から洗浄水は流出している。図１３（ｂ）に示すようにいずれの角度においても流出される洗浄水は流量調節兼流路切替弁１２の実使用範囲における最小吐水流量と略同一以上である事を達成しており、流量調節兼流路切替弁１２がいかなる動作をした場合においても実使用範囲における最小吐水流量を維持しており、異常高温水の発生を最小限に抑えている。
【００６９】
以上のように、ディスク式バルブを実施例として本発明の実施の形態を説明したが、本発明はディスク式バルブに限定されず、背景技術として図１４で例示したドラム式のバルブであっても本発明を適用できる。
【図面の簡単な説明】
【００７０】
【図１】本発明における実施の形態による衛生洗浄装置の水路図
【図２】本発明における実施の形態による洗浄ノズルの断面図
【図３】洗浄ノズル内における洗浄水の動き
【図４】流量調節兼流路切替弁と洗浄ノズルの一部透視図
【図５】（ａ），（ｂ）はそれぞれ流量調節兼流路切替弁における可動部と固定部の上面図
【図６】（ａ）〜（ｄ）は流量調節兼流路切替弁における可動部と固定部によるそれぞれ原点兼ビデ洗浄状態、全開状態、やわらか洗浄状態、おしり洗浄状態
【図７】（ａ），（ｂ）はそれぞれ、流量調節兼流路切替弁内の可動部の回転角度によるビデ流路、旋回流路、直進流路から吐水される洗浄水の流量と洗浄ノズルを介して吐水される洗浄水の流量
【図８】流路切替弁断面図
【図９】おしり洗浄動作タイミングチャート
【図１０】おしり洗浄からやわらか洗浄への切替動作タイミングチャート
【図１１】おしり洗浄からビデ洗浄への切替動作タイミングチャート
【図１２】別の実施例における衛生洗浄装置の水路図
【図１３】別の実施例における流量調節兼流路切替弁の回転角度による洗浄ノズルを介して吐水される洗浄水の流量
【図１４】従来技術における流量調節兼流路切替バルブの断面図
【図１５】従来技術における流量調節兼流路切替バルブの回転角度と流量の関係
【符号の説明】
【００７１】
ＲＷ            旋回流
ＵＷ            直進流
１２，６２      流量調節兼流路切替弁
１３，６３      洗浄ノズル
１４，６４      制御器
１５，６５      ビデ流路
１６            やわらか流路
１７            おしり流路
１８，６８      捨水流路
５１            給水配管
５２            電磁弁
５３            圧力調整弁
５４            冷水センサ
５５            熱交換器
５６            温水センサ
５７            バキュームブレーカ
５８            安全弁
６０            アキュームレータ
６１            脈動発生装置
６６            旋回流路
６７            直進流路
６９            主流路
７０            ノズル本体
８０，１５０    入水口
９０            出水口ａ
１００          出水口ｂ
１１０          弁体
１２０          コイル
１３０          バネ
１４０          弁ゴム
１６０          ナベタッピンネジ
１７０          駆動モータ
１７１          駆動軸
１８０          押板
１９０          Ｏリング
２００          収納ボディ
２１０          Ｙパッキン
２２０          支持部
２３０          シールフランジ
２４０          スプリング
２５０          可動部
２６０          固定部
２７０          固定部シール
３０１，３０２  洗浄水渦室
４０１，４０２  吐水穴
【図１】
2006152734.tif 000003
【図２】
2006152734.tif 000004
【図３】
2006152734.tif 000005
【図４】
2006152734.tif 000006
【図５】
2006152734.tif 000007
【図６】
2006152734.tif 000008
【図７】
2006152734.tif 000009
【図８】
2006152734.tif 000010
【図９】
2006152734.tif 000011
【図１０】
2006152734.tif 000012
【図１１】
2006152734.tif 000013
【図１２】
2006152734.tif 000014
【図１３】
2006152734.tif 000015
【図１４】
2006152734.tif 000016
【図１５】
2006152734.tif 000017